(57)【要約】      （修正有）【課題】搬送信号の性能の劣化の無いケーブルを提供する。【解決手段】ケーブル１０は、細長いケーブルコアを規定しているケーブルジャケット１６と、コアに沿って配設された４つの導体ツイストペア１２を有する導体アセンブリと、ケーブルジャケットの内部表面の複数の平行な細長い局所化された類似した膨張部とを有する。膨張部は、ケーブルジャケットの内部表面に実質的に均等に離隔し、導体アセンブリが内部表面と接触するのを防止。一実施例では膨張部はケーブルジャケット／ケーブルコア間の一連のフィラー要素で形成され、ケーブルコアに沿い且つこれを中心として螺旋状に巻付く。セパレータスプラインはほぼＨ形断面を有し、並行配列された細長い第１・第２分割ストリップで構成。スプラインはその長さに沿って螺旋状に捩れている。他の実施例ではセパレータスプラインと導体ツイストペアを取り囲んでいる絶縁体とが同一の誘電率の材料製である。【選択図】図１
2007258169.tif 000002
【特許請求の範囲】
【請求項１】
細長いケーブルコアを規定しているケーブルジャケットと、
前記コアに沿って配設された４つの導体ツイストペアであって、前記導体のそれぞれは、絶縁体によって取り囲まれた導電性コアを有する、４つの導体ツイストペアと、
前記４つの導体ツイストペアを相互に分離しているスプラインと、
を有しており、
前記スプライン及び前記絶縁体は、整合した誘電率を具備する材料から製造されている通信ケーブル。
【請求項２】
前記コアを中心とし、且つ、これに沿って螺旋状に配列された少なくとも１つの細長いフィラー要素を更に有しており、前記フィラー要素は、前記整合した誘電率を具備する材料から製造されている請求項１記載の通信ケーブル。
【請求項３】
前記コアを中心とし、且つ、これに沿って螺旋状に配列された４つの細長い平行な均等に離隔したフィラー要素を更に有しており、前記フィラー要素のそれぞれは、前記整合した誘電率を具備する材料から製造されている請求項１記載の通信ケーブル。
【請求項４】
前記４つのフィラー要素は、前記スプラインによって定位置に保持されている請求項３記載の通信ケーブル。
【請求項５】
細長いケーブルコアを規定しているケーブルジャケットと、
前記コアに沿って配設された４つの導体ツイストペアと、
前記ケーブルジャケットの外部表面における複数の平行な変位した隆起部であって、前記ケーブルジャケットの外周部において実質的に均等に離隔しており、且つ、前記コアを中心として前記ケーブルに沿って螺旋状に巻き付いている隆起部と、
を有する通信ケーブル。
【請求項６】
前記隆起部のそれぞれは、前記ケーブルジャケット内の局所化された膨張部を有する請求項５記載の通信ケーブル。
【請求項７】
前記局所化された膨張部は、前記ケーブルジャケットの内部表面を加圧する細長いフィラー要素を有しており、前記フィラー要素は、前記局所化された膨張部の直接反対側の前記内部表面に局所化された窪みを導入している請求項６記載の通信ケーブル。
【請求項８】
前記ツイストペアは、前記コアに沿って螺旋状に巻き付き、且つ、４つの前記フィラー要素を有しており、前記要素のそれぞれは、前記内部表面と前記導体ツイストペアのうちの対応するものの間に配置されている請求項７記載の通信ケーブル。
【請求項９】
前記４つの導体ツイストペアを相互に分離しているスプラインを更に有する請求項８記載の通信ケーブル。
【請求項１０】
前記４つのフィラー要素は、前記スプラインによって定位置に保持されている請求項９記載の通信ケーブル。
【請求項１１】
前記スプラインは、主分割ストリップと、前記主分割ストリップの第１面に沿って長手方向に装着された第１補助分割ストリップと、前記主分割ストリップの第２面に沿って長手方向に装着された第２補助分割ストリップと、を有しており、前記スプラインは、前記４つのツイストペアが互い違いになった構成において配列されるように、前記４つのツイストペアを分離している請求項９記載の通信ケーブル。
【請求項１２】
前記スプラインは、外部ストリップのペアと、前記外部ストリップのペアの間において前記外部ストリップのペアに対して略直角に装着された中央分割ストリップと、を有する主分割ストリップを有し、前記主分割ストリップは、略Ｉ形状の横断面を有しており、更に、前記それぞれのフィラー要素は、前記それぞれの外部ストリップのそれぞれの外部エッジに沿って装着されている請求項１０記載の通信ケーブル。
【請求項１３】
前記導体ツイストペアの中の第１のペアは、前記導体ツイストペアの中の第２のペアよりも長いツイストレイを有するように巻き付けられており、前記導体ツイストペアの中の第１のペアのそれぞれのツイストペアは、前記軸の反対側に位置しており、前記第２の導体ツイストペアのそれぞれのツイストペアは、前記軸の反対側に位置しており、更に、前記導体ツイストペアの中の前記第１ペアのそれぞれの間の距離は、前記導体ツイストペアの中の第２のペアのそれぞれの間の距離より小さい請求項８記載の通信ケーブル。
【請求項１４】
細長いケーブルコアを規定しているケーブルジャケットと、
前記コアに沿って４つの導体ツイストペアを有する導体アセンブリと、
前記ケーブルジャケットの内部表面における複数の平行な細長い局所化された類似した膨張部であって、前記ケーブルジャケットの内部表面において実質的に均等に離隔している複数の膨張部と、
を有しており、
前記膨張部は、前記導体アセンブリが前記内部表面と接触することを妨げている通信ケーブル。
【請求項１５】
前記膨張部は、前記ケーブルジャケットの厚さの少なくとも２５％だけ前記内部表面から突出している請求項１４記載の通信ケーブル。
【請求項１６】
膨張部の各隣接ペア間の前記内部表面にチャネルを更に有しており、前記チャネルは、前記膨張部の幅より大きい幅を有しており、前記導体アセンブリは、４つのフィラー要素を更に有しており、前記要素のそれぞれは、前記内部表面と前記導体ツイストペアのうちの対応したものの間に配置されており、前記フィラー要素は、前記ツイストペアが前記チャネル内に進入することを妨げている請求項１４記載の通信ケーブル。
【請求項１７】
前記フィラー要素は、前記チャネル幅より大きい幅を有する請求項１６記載の通信ケーブル。
【請求項１８】
前記４つの導体ツイストペアは、第１方向において前記コアに沿って軸を中心として螺旋状に巻き付いており、前記局所化された膨張部は、前記第１方向とは反対の方向に前記内部表面に沿って螺旋状に巻き付いている請求項１４記載の通信ケーブル。
【請求項１９】
６つ未満の前記膨張部を有する請求項１４記載の通信ケーブル。
【請求項２０】
製造の際に、前記ケーブルジャケットは、前記導体アセンブリ上に押し出され、更に、前記膨張部は、前記ケーブルジャケットが押し出される際に、前記内部表面に形成される請求項１４記載の通信ケーブル。
【請求項２１】
通信ケーブル内において使用されるセパレータスプラインにおいて、
実質的にＨ形状の断面を具備すると共に並んで配列された細長い第１及び第２の分割ストリップを有し、
前記スプラインは、その長さに沿って螺旋状に捩れているセパレータスプライン。
【請求項２２】
前記細長い分割ストリップのそれぞれは、中央ストリップと、前記中央ストリップの内部エッジに対して直角にその中心に向かって装着された内部ストリップと、前記中央ストリップの外部エッジに対して直角にその中心に向かって装着された外部ストリップと、を有しており、細長いフィラー要素のペアが、前記外部ストリップのいずれかのエッジに沿って装着されており、更に、前記第１及び第２の分割ストリップの前記内部ストリップの外部表面は互いに接触している請求項２１記載のセパレータスプライン。
【請求項２３】
前記第１分割ストリップの前記内部ストリップと、前記第２分割ストリップの前記内部ストリップとは、同一材料片から製造されている請求項２２記載のセパレータスプライン。
【請求項２４】
前記第１分割ストリップの前記内部ストリップと前記第２分割ストリップの前記内部ストリップは、１つに接合されている請求項２２記載のセパレータスプライン。
【請求項２５】
前記分割ストリップのペアは、同一材料片から製造されている請求項２１記載のセパレータスプライン。
【請求項２６】
前記分割ストリップのペアは、１つに接合されている請求項２１記載のセパレータスプライン。
【発明の詳細な説明】
【技術分野】
【０００１】
本発明は、通信ケーブル内において導体を分離するウェブに関するものである。更に詳しくは、本発明は、導体ツイストペア（導体撚り対線）の相互間における既定の配置を確保するクロストーク低減セパレータウェブ又はスプラインに関するものである。
【背景技術】
【０００２】
１０ギガビットのＥｔｈｅｒｎｅｔ（登録商標）などの高速データ通信を実装する際に克服しなければならない問題点の１つが、隣接するケーブル間におけるクロストークの低減であり、このクロストークは、通常、ＰＳＡＮＥＸＴ（Ｐｏｗｅｒ  Ｓｕｍ  Ａｌｉｅｎ  Ｎｅａｒ  Ｅｎｄ  Ｃｒｏｓｓ）及びＰＳＡＥＬＦＥＸＴ（Ｐｏｗｅｒ  Ｓｕｍ  Ａｌｉｅｎ  Ｅｑｕａｌ  Ｌｅｖｅｌ  Ｆａｒ  Ｅｎｄ  Ｃｒｏｓｓ  Ｔａｌｋ）と呼ばれている。提案され、且つ、低速のネットワーク内において有効であることが明らかになっている技法の１つが、ケーブルの長さに沿って延長しており、且つ、ケーブルに沿ってデータを転送するべく使用される４つの導体ツイストペア間に配置されたセパレータウェブ又はスプラインの使用である。
【発明の開示】
【発明が解決しようとする課題】
【０００３】
これらの従来技術による設計の欠点の１つは、このような従来技術によるケーブルを（配線及びコンジット並びにこれらに類似したものにおいて通常行なわれているように）互いに隣接した状態に配置すると、所与のケーブル内の最も長い捩れを具備したツイストペアが、ケーブルの幾何学的な中心から、その他のツイストペアと同一の距離に位置するという点である。隣接するケーブル内に配置されており、且つ、長いツイストレイ（ｔｗｉｓｔ  ｌａｙ）を具備している導体ツイストペアの近接度が増大すると、（短いレイを具備したものと比較し、長いレイを具備したツイストペア間における結合の増大に起因して）ＰＳＡＮＥＸＴ及びＰＳＡＥＬＦＥＸＴが増大することになる。又、それぞれの個別のペアが、コモンモード信号雑音を引き起こすとされている相対的に高度な不均衡を示すことにもなる。この結果、それぞれのケーブル（並びに、そのケーブルによって搬送されている信号）の性能が劣化することになり、これを補償することは、通常多数の隣接ケーブルの類似したペア（最大で６本の隣接ケーブル、最悪のケースにおいては、４８の妨害導体ツイストペア）に由来する多数の雑音信号があるため、不可能である。
【課題を解決するための手段】
【０００４】
本発明は、細長いケーブルコアを規定しているケーブルジャケットと、コアに沿って配設された４つの導体ツイストペアであって、導体のそれぞれは、絶縁体によって取り囲まれている導電性コアを有している、４つの導体ツイストペアと、４つの導体ツイストペアを相互に分離しているスプラインと、を有する通信ケーブルを提供することにより、前述及びその他の欠点を解決している。スプライン及び絶縁体は、整合した誘電率を具備する材料から製造されている。
【０００５】
細長いケーブルコアを規定しているケーブルジャケットと、コアに沿って配設された４つの導体ツイストペアと、ケーブルジャケットの外部表面における複数の平行な変位した隆起部と、を有する通信ケーブルも開示されており、これらの隆起部は、ケーブルジャケットの外周部の周りに実質的に均等に離隔しており、且つ、コアを中心としてケーブルに沿って螺旋状に巻き付いている。
【０００６】
又、細長いケーブルコアを規定しているケーブルジャケットと、コアに沿って配設された４つの導体ツイストペアを有する導体アセンブリと、ケーブルジャケットの内部表面における複数の平行な細長い局所化された類似した膨張部を有する通信ケーブルについても記述されており、これらの膨張部は、ケーブルジャケットの内部表面において実質的に均等に離隔している。これらの膨張部は、導体アセンブリが内部表面と接触するのを妨げている。
【０００７】
又、通信ケーブル内において使用されるセパレータスプラインも開示されている。このスプラインは、実質的にＨ形状の断面を具備すると共に並んで配列された細長い第１及び第２分割ストリップを有している。このスプラインは、その長さに沿って螺旋状に捩れている。
【発明を実施するための最良の形態】
【０００８】
まず、図１を参照して、全体として参照符号１０が付与されている通信ケーブルについて説明する。ケーブル１０は、セパレータウェブ１４によって分離され、且つ、ケーブルジャケット１６によって包まれている４つの導体ツイストペア１２から構成されている。特定の実施例においては、ケーブルジャケット１６と導体１２間に配置された状態において、１つ又は複数のフィラー要素１８を包含可能である。又、ケーブルジャケット１６とフィラー要素１８間に配置された状態において、シールドフォイル又はこれに類似したもの（図示されていない）を包含することも可能である。
【０００９】
更に図１を参照すれば、当技術分野において周知のように、導体ツイストペア１２は、通常、異なるツイストレイ（即ち、単位長当たりの捩れの数）を有するように撚り合わせられている。これらのツイストレイは、規則的な既定値であってもよく、或いは、ケーブル１０の長さに沿って、例えば、最大値と最小値間を変化してもよい。後者の場合には、ツイストレイは、ランダムに又は既定の（例えば、既定の距離にわたって安定して増大するか減少する）パターンに従って変化可能である。尚、製造を容易にするべく、レイの方向が、しばしば、所与の導体ツイストペア１２に沿った複数の地点において逆転しているということに留意されたい。
【００１０】
又、更に図１を参照すれば、導体ツイストペア１２を相互に分離しているセパレータウェブ１４は、個々の導体ツイストペア１２がケーブルの長さに沿って実質的に平行な螺旋状の経路を辿るように、通常、ケーブル１０の長さに沿って螺旋状に捩れている。個々の導体ツイストペア１２のツイストレイと同様に、個々の導体ツイストペア１２のレイ（これは、通常、ストランドレイと呼ばれている）も、ケーブル１２の長さに沿って、一定であるか、或いは、最小及び最大スタンドレイ間において変化可能である。後者の場合には、変動レートは、ランダムであるか、或いは、既定のもの（この場合にも、例えば、ケーブル１０の長さに沿った最小及び最大スタンドレイ間における安定した増大や減少など）であってもよい。
【００１１】
次に、図２Ａを参照すれば、本発明の例示用の実施例においては、Ｌ形状の横断面を具備し、且つ、そのヒール部２４に沿って接触している２つの分離部２０、２２を有するセパレータウェブ１４が提供されている。Ｌ形状の横断面を有する分離部２０、２２は、ケーブルジャケット１６によって規定されているケーブル１０のコアを４つの象限に分離している。それぞれのツイストペア１２が、それぞれの象限の内部に配置されている。実質的に平らで平行な、対向配置したスペーシング要素の第２のペア２６、２８が、Ｌ形状の横断面を具備した分離部２０、２２のそれぞれの外部エッジ３０に沿って装着されている。
【００１２】
特定の実施例においては、Ｌ形状の横断面を具備した分離部２０、２２のそれぞれは、そのスペーシング要素２６、２８と１つに組み立てられており、これにより、「ｈ」形状のウェブ部分を形成している。ケーブルを製造する際に、２つの「ｈ」形状のウェブ部分（それぞれ、Ｌ形状の横断面を具備した分離部２０、２２とスペーシング要素２６、２８から構成されている）を４つの導体ツイストペア１２と平行にし、次いで、１つに撚り合わせることにより、ケーブル２０のコアと、特に、完成したセパレータウェブ１４を形成している。この観点において、それぞれの「ｈ」形状のウェブ部分のＬ形状の横断面を具備した分離部２０、２２は、そのヒール部に沿って接触している（このヒール部は、ケーブル１０の幾何学的な中心と一致している）。
【００１３】
２つの「ｈ」形状のウェブ部分の位置を互いにオフセット又は互い違いに配置可能であり、この結果、４つの導体ツイストペア１２が相互に互い違いに配置されることになる。具体的には、最も長いツイストレイの導体ツイストペア１２（例として、ツイストペア１２１及び１２３）を互いに近づけて配置可能であり、短いレイのツイストペア（例として、ツイストペア１２２及び１２４）を互いに引き離して配置可能である。この観点において、長いツイストレイのツイストペア１２１及び１２３によって形成される二重螺旋の半径ｒ１は、短いツイストレイのツイストペア１２２及び１２４によって形成される二重螺旋の半径ｒ２より小さい。この結果、長いツイストレイのツイストペア１２１及び１２３は、短いツイストレイのツイストペア１２２及び１２４に比べて、ケーブル１０の幾何学的な中心（これは、ポイントＡによって表されている）の近くに配置されることになる。
【００１４】
更に図２Ａを参照し、長いツイストレイのツイストペアをケーブル１０の中心Ａに対して相対的に近くに配置することは、多数の効果がある。例えば、当業者には明らかなように、隣接しているケーブル同士の長いツイストレイのツイストペアは、更に離れることになる。前述のように、長いレイのツイストペア間における結合は、短いレイのものよりも大きく、従って、このような長いツイストレイのツイストペア間の距離の増大は、ＰＳＡＮＥＸＴ及びＰＳＡＥＬＦＥＸＴの低減に寄与する。又、この増大した距離には、乾燥空気（これは、プラスチックよりも良好な誘電体である）が主に充填されており、これも、結合の低減と、結果的に得られる長いツイストレイのツイストペアに結びつくことになる。又、短いレイのツイストペアは、一般に、長いツイストレイのツイストペアと比べて、単位長当たりに多くの導電材料を内蔵しており、従って、シールド効果が生じることになる。
【００１５】
更に図２Ａを参照すれば、セパレータウェブの「ｈ」形状のウェブ部分は、導体ツイストペア１２がケーブルジャケット１６の内部表面３２に接触することを妨げるという機能をも果たしている。当技術分野において周知のように、このようなケーブルジャケットは、通常、相対的に高い誘電率を具備したＰＶＣ又はこれに類似したものから製造されており、結果的に損失係数が増大することになる。空気の空間とセパレータウェブ１４を使用して導体ツイストペア１２をケーブルジャケット１６の内部表面２４から分離することにより、複合誘電率及び損失係数を引き下げることができる。この結果、例えば、ＡＣ６（Ｃａｔｅｇｏｒｙ  ６  ａｕｇｍｅｎｔｅｄ）規格の減衰要件を満たすべく使用しなければならない銅導体及び絶縁体の量を低減可能である。
【００１６】
尚、セパレータウェブ１４の個々の「ｈ」形状のウェブ部分は、互いに反転した鏡像であるものとして示されているが、同一の寸法を有する必要はないということに留意されたい。実際に、特定の実施例においては、「ｈ」形状のウェブ部分のそれぞれの寸法は、互いに対する、ケーブル１２の中心Ａに対する、並びに、ケーブルジャケット１６の内部表面２４に対する導体ツイストペア１２の望ましい配置を実現するべく、異なるものであってよい。
【００１７】
図２Ｂを参照すれば、例示用の代替実施例においては、２つの「ｈ」形状のウェブ部分は、セパレータウェブ１４の製造の際に、或いは、後から適切な接着剤や溶接などの接合技法を使用することにより、１つに接合されている。
【００１８】
次に、図２Ｃを参照すれば、本発明のケーブル１０の例示用の第２の代替実施例においては、セパレータウェブ１４は、２つの「Ｈ」形状のウェブ部分３４、３６から構成されている。この「Ｈ」形状のウェブ部分３４、３６のそれぞれは、中央ストリップ３８、この中央ストリップ３８の内部エッジ４４に対して直角にその中心４２に向かって装着された内部ストリップ４０、及び中央ストリップ３８の外部エッジ５０に対して直角にその中心４８に向かって装着された外部ストリップ４６から構成されている。前述の「ｈ」形状のウェブ部分と同様に、２つの「Ｈ」形状のウェブ部分３４、３６の位置を互いにオフセット又は互い違いに配置可能であり、この結果、４つの導体ツイストペア１２が互いの間において互い違いに配置されることになる。具体的には、最も長いツイストレイの導体ツイストペア１２（例として、ツイストペア１２２及び１２４）を互いに近づけて配置可能であり、短いツイストレイのツイストペア（例として、ツイストペア１２１及び１２３）を互いに引き離して配置可能である。この結果、最も長いツイストレイのツイストペア１２２及び１２４は、最も短いツイストレイのツイストペア１２１及び１２３よりも、ケーブル１０の幾何学的な中心（この場合にも、これは、ポイントＡによって表されている）に対して近くに配置されることになる。
【００１９】
又、Ｈ形状のウェブ部分３４、３６は、例として、フィラー要素のペア５２をも含んでいる。フィラー要素５２は、ケーブルジャケット１６の内部表面３２とＨ形状のウェブ部分３４、３６の間に配置されている。これらのフィラー要素は、例として、ジャケット１６の内部表面３２と導体のツイストペア１２間に、更なる空気の空間５４を導入するべく機能している。又、このフィラー要素５２は、ジャケット１６がＨ形状のウェブ部分３４、３６に近接している領域内において、ジャケット１６の内部表面３２が滑らかであることを保証している。
【００２０】
又、例示用の第２の代替実施例の特定の変形においては、２つの「Ｈ」形状のウェブ部分３４、３６は、セパレータウェブ１４を製造する際に、或いは、後から適切な接着剤や溶接などの接合技法を使用することにより、１つに接合されている。
【００２１】
次に、図２Ｄを参照すれば、本発明の例示用の第３の代替実施例においては、セパレータウェブ１４は、第１ストリップ５６を有しており、この第１面には、第２ストリップ５８が装着されており、第２面には、第３ストリップ６０が装着されている。第２ストリップ５８及び第３ストリップ６０は、第２ストリップ５８が第３ストリップ６０よりも第１ストリップ５４の一端により近くなるように、第１ストリップ５４に対して装着されており、これにより、互い違いになったＸの横断面をセパレータウェブ１４に対して付与している。又、１つ又は複数のフィラー要素６２も提供されている。フィラー要素６２は、製造の際に導体ツイストペア１２及びセパレータウェブ１４の周りに個別に巻き付けることも可能であり、或いは、導体ツイストペア１２及びセパレータウェブ１４を取り囲んでいるシース６４の一部を形成するか又はこれに装着することも可能である。これらのフィラー要素６２は、導体ツイストペア１２とケーブルジャケット１６の内部表面３２の間に空気の空間６６を導入している。
【００２２】
次に、図２Ｅを参照すれば、実際に（典型的にはＰＶＣの）ケーブルジャケット１６をツイストペア１２／セパレータウェブ１４上に押し出す際には、フィラー要素４８により、ケーブルジャケット１６の内部表面に一連の細長い窪みが導入され、この結果、一連の対応した４つの隆起部６８がフィラー要素３８の領域においてケーブルジャケット１６の外部に形成されることになる。セパレータウェブは、ケーブル１０の長さＬに沿って螺旋状に捩れていることから、隆起部６８も、ケーブル１０の長さＬに沿って捩れている。このような構造の１つの利点は、複数（この場合には、４つである）の隆起部６８を提供することにより、隣接するケーブル１０が重なり合わないことが保証されるという点にあり、この結果、隣接するケーブル間の距離が増大し、これにより、ＰＳＡＮＥＸＴ及びＰＳＡＥＬＦＥＸＴが低減され、対応して高周波性能が改善されることになる。又、ケーブルジャケット１６は、フィラー要素５２が位置している２つの「Ｈ」形状のウェブ部分３４、３６の端部７０をわずかに変形させることも可能であり、これにより、ツイストペア１２がケーブルジャケット１６の内部表面３２から変位した状態で留まることが保証される。
【００２３】
又、セパレータウェブ１４、フィラー要素５２、及び導体ツイストペア１２を取り囲んでいる絶縁体を製造するべく使用される材料のすべてが、同一又は類似した誘電特性を具備することを保証することにより、ペアのバランスを更に改善可能である。
【００２４】
次に、図２Ｆを参照すれば、本発明の第４の例示用の実施例においては、押し出しプロセスにおいて、ケーブルジャケット１６の内部表面３２に溝ひだを付与することにより、例として部分的に球状の断面を有する一連の小さな隆起したうねり又は膨張部７２を備えることができる。膨張部７２は、通常、ケーブル１０の長さに沿ってまっすぐに延長するか、或いは、ツイストペア１２／セパレータウェブ１４アセンブリの螺旋状のツイスト方向とは反対に螺旋状に捩れており、従って、セパレータウェブ１４のフィラー要素５２間に嵌まり込まない。この結果、直径を小さく且つ相対的に少ない数（例として、４つ又は５つの膨張部７２）を使用可能であり、これにより、導体ツイストペア１２とケーブルジャケットの内部表面３２の間における改善された分離を依然として実現しつつ膨張部７２を形成するために追加を要する材料の量が減少することになる。例示用の一実施例においては、膨張部７２の高さは、ジャケットの厚さの少なくとも約２５％である。
【００２５】
以上、その例示用の実施例を参照して本発明について説明したが、この実施例は、本発明の精神及び特性を逸脱することなしに自由に変更可能である。
【図面の簡単な説明】
【００２６】
【図１】本発明の例示用の実施例による通信ケーブルの側面透視図である。
【図２Ａ】本発明の例示用の実施例による通信ケーブルの横断面、並びに、このセパレータウェブの寸法のいくつかの例示用の値（単位：ｍｍ）の表である。
【図２Ｂ】本発明の例示用の代替実施例による通信ケーブルの横断面、並びに、このセパレータウェブの寸法のいくつかの例示用の値（単位：ｍｍ）の表である。
【図２Ｃ】本発明の例示用の第２の代替実施例による通信ケーブルの横断面、並びに、このセパレータウェブの寸法のいくつかの例示用の値（単位：ｍｍ）の表である。
【図２Ｄ】本発明の例示用の第３の代替実施例による通信ケーブルの横断面、並びに、このセパレータウェブの寸法のいくつかの例示用の値（単位：ｍｍ）の表である。
【図２Ｅ】図２Ｃの通信ケーブルの横断面の詳細図である。
【図２Ｆ】本発明の例示用の第４の代替実施例による通信ケーブルの横断面の詳細図である。
【図１】
2007258169.tif 000003
【図２Ａ】
2007258169.tif 000004
【図２Ｂ】
2007258169.tif 000005
【図２Ｃ】
2007258169.tif 000006
【図２Ｄ】
2007258169.tif 000007
【図２Ｅ】
2007258169.tif 000008
【図２Ｆ】
2007258169.tif 000009
【外国語明細書】
2007258169000001.pdf